(57)【要約】【課題】  難聴者が日常生活において聴く、体に障る低周波音・中周波音・高周波音の音を、本来の自然な柔らかい音として再現し、それを聴き取ることが出来る、吸音型透過音式耳栓を提供する事を課題とする。【解決手段】吸音型透過音式耳栓１は、外耳孔と相似の形に成形し、外耳孔に挿入保持することが出来る外耳孔スポンジ２と、その外耳孔スポンジ２の外部に面した端面に接し、外耳孔端部の同一面の形状に合せ、成形した吸音板Ａ３を備え、これを接着したもので構成する。同耳栓１は吸音板Ａ３が耳の外部に開かれた孔を塞ぐことによって音の回折を防ぐことができ、又、吸音板Ａ３は音波のエネルギーを熱エネルギーに変換し、響きを低減させる。よって同耳栓１は透過音だけを外耳道から鼓膜へ伝えることが可能である。【選択図】図２
2016045481.tif 000002
【特許請求の範囲】
【請求項１】
肌あたりの良い、きめの細かいスポンジを、人の耳の外耳孔に負担がかからぬ程度に少し張りを持たせる為に、外耳孔より少し大きめの相似の形状に成形し、これを外耳孔スポンジとする。外耳孔スポンジは外耳孔の軟骨部に挿入保持され、外耳孔の外部に開かれた孔と耳介が繋がる部分を外耳孔端部とみなし、その端部と外耳孔スポンジの外部に面した端面を、同一面の形状となる様に成形する。
又、この面に接し、外耳孔端部の同一面の形状に合せ、且つ、外耳孔端部の外側に位置する為、耳介が外耳孔端部と繋がる部分との干渉を避ける為の切り欠き部を有した物を、高周波音対策として耐摩耗性に優れたゴム板を吸音板Ａとして成形し、この吸音板Ａを外耳孔スポンジの外部に面した端面と同一形状・面で接する部分と合せ接着し、これを耳栓とする。耳栓は吸音板Ａが耳の外部に開かれた孔を塞ぐことによって音の回折を防ぎ得るよう構成したことを特徴とする吸音型透過音式耳栓。
【請求項２】
請求項１に記載の吸音型透過音式耳栓における吸音板Ａの代りに、吸音は周波数帯域によって影響されるので、低周波音・中周波音対策として弾性が優れたゴム板を吸音板Ｂとして吸音板Ａと同じ手法で作製する。吸音板Ｂと外耳孔スポンジは請求項１と同一の手法で成形・接着し、これを同耳栓とする。同耳栓は吸音板Ｂが耳の外部に開かれた孔を塞ぐことによって音の回折を防ぎ得るよう構成したことを特徴とする吸音型透過音式耳栓。
【請求項３】
請求項１及び請求項２に記載の吸音型透過音式耳栓における吸音板Ａ・吸音板Ｂと外耳孔スポンジを、まず吸音板Ａと吸音板Ｂを同一形状・面で合せて接着し、これを低周波音・中周波音・高周波音対策の吸音板Ｃとする。これを吸音板Ｂだった面と外耳孔スポンジの外部に面した端面とを同一形状・面で合せて接着し、これを同耳栓とする。同耳栓は吸音板Ｃが耳の外部に開かれた孔を塞ぐことによって音の回折を防ぎ得るよう構成したことを特徴とする吸音型透過音式耳栓。
【発明の詳細な説明】
【技術分野】
【０００１】本発明は難聴者に好適な吸音型透過音式耳栓に関するものである。
【背景技術】
【０００２】一般に耳栓とは工場・道路工事の作業現場等、騒音の発生する所で、耳の負担を軽くする為に防音・遮音効果を求めて使用されている。
【発明の概要】
【発明が解決しようとする課題】
【０００３】  しかしながら難聴者にとって、日常生活で聴く話し声・新聞をめくる音・ドアの開閉の音等に対して、低周波音・中周波音の聴力が低下していると、高周波音の音に対して正常な聴力を維持している場合でも、聴覚が低下していることによって、高周波音が割れたように聴こえたり、音が体に沁みるように不快感を伴って聴こえたりし、酷くなると、精神安定剤を服用しなければならないという問題があった。【０００４】  又、聴力検査において、低周波音・中周波音・高周波音いづれにも正常な聴力が確認され、且つ、鼓膜に異常が診られなくても、日常生活における車の走行音・工場の機械・圧縮機・家電製品等を音源とする低周波音・中周波音が外耳より空気の振動として外耳道を通って耳に侵入し、音圧を生じて粗く聴こえたり、更に悪化すると音源を特定できない騒音となって聴こえてくる。この時の症状としては、外耳道の骨部と鼓膜とで閉管と考えられ、共鳴器として共鳴する周波数付近の感度を上げている為、音が響き、外耳道の軟骨部と骨部の境目に炎症をおこし、ピリピリした痛みを伴い、痛みが継続する。しかし低周波騒音と人体への影響との関連が余り知られていない為、治療としては傷や細菌等が原因で起きる一時的な外耳道炎の場合と同じように、ステロイド軟膏の塗布等、常用することが好ましくないと言われている方法を取らざるをえない問題があった。【０００５】  本発明は上記問題点にかんがみ、吸音機能をもった耳栓を使用した場合、薬の服用及び塗布等を必要とせず、しかも本来の自然な柔らかい音を再現し、それを聴き取ることが出来る吸音型透過音式耳栓を提供することを課題とする。
【課題を解決するための手段】
【０００６】  上記課題を解決するために、請求項１記載の吸音型透過音式耳栓は、肌あたりの良い、きめの細かいスポンジを、人の耳の外耳孔に負担がかからぬ程度に少し張りを持たせる為に、外耳孔より少し大き目の相似の形状に成形し、これを外耳孔スポンジとする。外耳孔スポンジは外耳孔の軟骨部に挿入保持され、外耳孔の外部に開かれた孔と耳介が繋がる部分を外耳孔端部とみなし、その端部と外耳孔スポンジの外部に面した端面を同一面の形状となる様に成形する。又、この面に接し、外耳孔端部の同一面の形状に合せ、且つ、外耳孔端部の外側に位置する為、耳介が外耳孔端部と繋がる部分との干渉を避ける為の切り欠き部を有した物を、高周波音対策として耐摩耗性に優れたゴム板を吸音板Ａとして成形し、この吸音板Ａを外耳孔スポンジの外部に面した端面と同一形状・面で接する部分と合せ接着し、これを同耳栓とする。同耳栓は吸音板Ａが耳の外部に開かれた孔を塞ぐことによって音の回折を防ぎ得るように構成したことを特徴とする。【０００７】  請求項２記載の吸音型透過音式耳栓は請求項１に記載の吸音型透過音式耳栓における吸音板Ａの代わりに、吸音は周波数帯域によっても影響されるので、低周波音・中周波音対策として弾性が優れたゴム板を吸音板Ｂとして吸音板Ａと同じ手法で作製する。吸音板Ｂと外耳孔スポンジは請求項１と同一の手法で成形・接着し、これを同耳栓とする。同耳栓は吸音板Ｂが耳の外部に開かれた孔を塞ぐことによって音の回折を防ぎ得るよう構成したことを特徴とする【０００８】  請求項３記載の吸音型透過音式耳栓は、請求項１及び請求項２に記載の吸音型透過音式耳栓における吸音板Ａ・吸音板Ｂと外耳孔スポンジを、まず吸音板Ａと吸音板Ｂを同一形状・面で合せて接着し、これを低周波音・中周波音・高周波音対策の吸音板Ｃとする。これを吸音板Ｂ側だった面と外耳孔スポンジの外部に面した端面とを同一形状・面で合せて接着し、これを同耳栓とする。同耳栓は吸音板Ｃが耳の外部に開かれた孔を塞ぐことによって音の回折を防ぎ得るように構成したことを特徴とする。
【発明の効果】
【０００９】  本発明は次のような効果を奏する。
請求項１に記載の吸音型透過音式耳栓によると、外耳孔スポンジに肌あたりの良い、きめの細かいスポンジを使用し、外耳孔の形状と相似の形で成形する為、外耳孔に異物を入れた様な違和感や圧迫感がなく、同耳栓の外耳孔への挿入部としての挿入感も余り感じられない。【００１０】  又、吸音板Ａで耳を塞いでいるので、耳の中に籠った汗などの湿気を吸収することが出来る。【００１１】  又、吸音板Ａは切り欠き部がある為、同耳栓の左用・右用の区別がしやすく、且つ、同耳栓の外耳孔への形状に合せた挿入が容易である。【００１２】  又、吸音板Ａは耳の外部に開かれた孔を塞ぐことが出来るので音の回折を防ぐことが出来る。よって外部の音は吸音板Ａを通して透過音だけを外耳道を通して聴くことが出来る。【００１３】  又、高周波音対策として耐摩耗性に優れたゴム板を吸音板Ａとして使用する為、高周波音の音波のエネルギーが吸音板Ａに接触する事によって、その音が熱エネルギーに変換されて響きを低減させ、透過音として本来の自然な柔らかい音を再現することが出来る。【００１４】  これによって高周波音が割れたように聴こえたり、音が体に沁みるように不快感を伴って聴こえたりしなくなる為、精神安定剤の服用も不用となる。【００１５】  請求項２に記載の吸音型透過音式耳栓によると、吸音板Ｂは切り欠き部がある為、同耳栓の左用・右用の区別がしやすく、且つ、同耳栓の外耳孔への形状に合せた挿入が容易である。【００１６】  又、吸音板Ｂは耳の外部に開かれた孔を塞ぐことが出来るので、音の回折を防ぐことが出来る。よって外部の音は、吸音板Ｂを通して透過音だけを外耳道を通して聴くことが出来る。【００１７】  又、低周波音・中周波音対策として弾性が優れたゴム板を吸音板Ｂとして使用する為、低周波音・中周波音の音波のエネルギーが吸音板Ｂに吸収・分解され、その音が熱エネルギーに変換されて響きを低減させ、透過音として本来の自然な柔らかい音を再現することが出来る。【００１８】  これによって音が粗く聴こえたり、音源が特定できないように聴こえる騒音は無くなり、したがって炎症やピリピリした痛みもなくなる為、ステロイド軟膏の塗布等の治療も不用となる。【００１９】  請求項３に記載の吸音型透過音式耳栓によると、吸音板Ｃは切り欠き部がある為、同耳栓の左用・右用の区別がしやすく、且つ、同耳栓の外耳孔への形状に合せた挿入が容易である。【００２０】  又、吸音板Ｃは、耳の外部に開かれた孔を塞ぐことが出来るので、音の回折を防ぐことが出来る。よって外部の音は吸音板Ｃを通して透過音だけを外耳道を通して聴くことが出来る。【００２１】  又、低周波音・中周波音・高周波音対策として使用される吸音板Ｃは請求項１に記載の吸音板Ａと請求項２に記載の吸音板Ｂによって構成される為、音波のエネルギーが、接触・吸収・分解され、その音が熱エネルギーに変換されて響きを低減させ、透過音として本来の自然な柔らかい音を再現することが出来る。【００２２】  これによって日常生活において、生理的に近づくことが困難であった様々な音源に対しても自然に近づくことが出来る。
【図面の簡単な説明】
【００２３】
【図１】  一実施例による吸音型透過音式耳栓を人の左耳に装着した時の外観図である。
【図２】  高周波音対策用の同耳栓を右耳に装着した時の耳の構造の一部を表す断面図である。
【図３】  低周波音・中周波音対策用の同耳栓を右耳に装着した時の耳の構造の一部を表す断面図である。
【図４】  低周波音・中周波音・高周波音対策用の同耳栓を右耳に装着した時の耳の構造の一部を表す断面図である。
【図５】  高周波音対策用の同耳栓の左図は平面図、右図は正面図である。
【図６】  低周波音・中周波音対策用の同耳栓の左図は平面図、右図は正面図である。
【図７】  低周波音・中周波音・高周波音対策用の同耳栓の左図は平面図、右図は正面図である。
【発明を実施するための形態】
【００２４】  以下、本発明の実施するための形態を図面に基づいて説明する。
【００２５】  図１は一実施例による吸音型透過音式耳栓を人の左耳に装着した時の外観図。図２は高周波音対策用の同耳栓を右耳に装着した時の耳の構造の一部を表す断面図。図３は低周波音・中周波音対策用の同耳栓を右耳に装着した時の耳の構造の一部を表す断面図。図４は低周波音・中周波音・高周波音対策用の同耳栓を右耳に装着した時の耳の構造の一部を表す断面図。図５は高周波音対策用の同耳栓の左図は平面図、右図は正面図。図６は低周波音・中周波音対策用の同耳栓の左図は平面図、右図は正面図。図７は低周波音・中周波音・高周波音対策用の同耳栓の左図は平面図、右図は正面図をそれぞれ示している。
【００２６】  図１ないし図７において、同耳栓１は高周波音対策用として、外耳孔スポンジ２と吸音板Ａ３とを備え、図２および図５に準じて接着し構成する。
【００２７】  又、同耳栓１は低周波音・中周波音対策用として、外耳孔スポンジ２と吸音板Ｂ４とを備え、図３および図６に準じて接着し構成する。
【００２８】  又、同耳栓１は低周波音・中周波音・高周波音対策として、外耳孔スポンジ２と吸音板Ａ３と吸音板Ｂ４とを備え、図４および図７に準じて接着し構成する。
【符号の説明】
【００２９】１  吸音型透過音式耳栓
２  外耳孔スポンジ
３  吸音板Ａ
４  吸音板Ｂ
【図１】
2016045481.tif 000003
【図２】
2016045481.tif 000004
【図３】
2016045481.tif 000005
【図４】
2016045481.tif 000006
【図５】
2016045481.tif 000007
【図６】
2016045481.tif 000008
【図７】
2016045481.tif 000009